(57)【要約】【課題】ペンを使用することなく、確認項目の確認が可能で、確認位置を見失うことなく、且つ確認項目が異なる場合も別の確認ボードを作成することなく対応可能な確認用ボードを提供する。【解決手段】本発明の確認用ボード１は、確認項目２１が箇条書きに記載された確認項目記載カード２を所定位置に保持可能な確認用ボード１であって、確認項目記載カード２を保持したときに確認項目記載カード２に記載された確認項目２１が視認可能なカード視認領域１Ｂと、確認項目記載カード２が保持されたときに箇条書きが並ぶ方向にスライド可能で、確認項目２１のそれぞれの位置に対応して停止可能なスライド式ボタン１５が配置された確認位置表示領域１Ａと、確認項目２１の確認の有無を選択表示可能な確認有無表示部材３２が、確認項目２１のそれぞれの位置に対応して箇条書きが並ぶ方向に複数並べて配置された確認有無表示領域１Ｃと、を備える。【選択図】図１
2019200361.tif 000002
【特許請求の範囲】
【請求項１】
確認項目が箇条書きに記載された確認項目記載カードを所定位置に保持可能な確認用ボードであって、
前記確認項目記載カードを保持したときに前記確認項目記載カードに記載された前記確認項目が視認可能なカード視認領域と、
前記確認項目記載カードが保持されたときに前記箇条書きが並ぶ方向にスライド可能で、前記確認項目のそれぞれの位置に対応して停止可能なスライド式ボタンが配置された確認位置表示領域と、
前記確認項目の確認の有無を選択表示可能な確認有無表示部材が、前記確認項目のそれぞれの位置に対応して前記箇条書きが並ぶ方向に複数並べて配置された確認有無表示領域と、
を備える確認用ボード。
【請求項２】
前記カード視認領域には、
前記確認項目記載カードが挿脱可能なカード差し込み部が設けられている、
請求項１に記載の確認用ボード。
【請求項３】
前記確認有無表示領域は、
前記確認有無表示部材と、前記確認項目の確認の有無を非表示の空部材と、を選択して配置可能である、
請求項１又は２に記載の確認用ボード。
【請求項４】
請求項１から３のいずれか１項に記載の確認用ボードと、
前記確認項目記載カードと、
を備えた確認用カードボードセット。
【発明の詳細な説明】
【技術分野】
【０００１】
本発明は、確認用ボード及び確認用カードボードセットに関する。
【背景技術】
【０００２】
例えば、原子力発電所でプラントが停止する異常事象が発生したとき、制御室において運転員は、複数の確認項目が記載された帳票（以下、確認項目記載カードという）を使用して、順次確認を進めていくことで事象の把握・収束を行っている。確認項目記載カードには事象の把握・収束の手順が箇条書きにされ、従来、作業が完了した確認項目にはペンで確認を入れる方法が実施されている。
しかし、異常事象が発生した場合、運転員は制御室でのパラメータや状態確認やスイッチ操作の実施が必要である。それらのパラメータや状態確認やスイッチ操作と同時に確認項目記載カードとペンとの両方を手に持って確認マークを記入している。このため、状況確認やスイッチ操作等がしづらい状況であった。
加えて、現状はサークルスラッシュによるプレイスキーピング方法（実施前に該当の項目へ『○』を記入し、実施後に上から『/』を記入することで、進捗管理をする方法）が採用されており、書き間違い等によるヒューマンエラーを招く恐れがあった。
【０００３】
また、ペンが不要の確認ボードとして、板状のパネルに、「扉の戸締り」、「台所のコンロ」といった使用目的とする名称を複数表示できるようにして、使用目的の名称を見て、目的を達した後に、確認したことを表す表示の痕跡を残すように、確認前の表示から、確認後の表示に変更可能な確認ボードが開示されている（特許文献１参照）。
【先行技術文献】
【特許文献】
【０００４】
【特許文献１】特開２００１−１２５４９０号公報
【発明の概要】
【発明が解決しようとする課題】
【０００５】
しかし、特許文献１の確認ボードは、確認項目が多くなると、現在どの項目を確認しているのかがわからなくなる場合がある。また、確認項目が異なる場合、それぞれ確認ボートを作成する必要がある。
【０００６】
本発明は、ペンを使用することなく、確認項目記載カードに沿った確認項目の確認が可能で、確認位置を見失うことなく、且つ確認項目が異なる場合も別の確認ボードを作成することなく対応可能な確認用ボード及び確認用カードボードセットを提供することを目的とする。
【課題を解決するための手段】
【０００７】
上記課題を解決するために、本発明は以下のものを提供する。
（１）確認項目が箇条書きに記載された確認項目記載カードを所定位置に保持可能な確認用ボードであって、前記確認項目記載カードを保持したときに前記確認項目記載カードに記載された前記確認項目が視認可能なカード視認領域と、前記確認項目記載カードが保持されたときに前記箇条書きが並ぶ方向にスライド可能で、前記確認項目のそれぞれの位置に対応して停止可能なスライド式ボタンが配置された確認位置表示領域と、前記確認項目の確認の有無を選択表示可能な確認有無表示部材が、前記確認項目のそれぞれの位置に対応して前記箇条書きが並ぶ方向に複数並べて配置された確認有無表示領域と、を備える確認用ボード。
（２）前記カード視認領域には、前記確認項目記載カードが挿脱可能なカード差し込み部が設けられていてもよい。
（３）前記確認有無表示領域は、前記確認有無表示部材と、前記確認項目の確認の有無を非表示の空部材と、を選択して配置可能であってもよい。
（４）前記記載の確認用ボードと、前記確認項目記載カードとを備えた確認用カードボードセット。
【発明の効果】
【０００８】
本発明によれば、ペンを使用することなく、確認項目記載カードに沿った確認項目の確認が可能で、確認位置を見失うことなく、且つ確認項目が異なる場合も別の確認ボードを作成することなく対応可能な確認用ボード及び確認用カードボードセットを提供することができる。
【図面の簡単な説明】
【０００９】
【図１】実施形態の確認用ボードと、確認用ボードに対して挿脱可能な確認項目記載カードと、を備える確認用カードボードセットを示した図である。
【図２】確認位置表示領域の箇条書き方向と直交する断面図である。
【図３】図１に示すＡ−Ａ方向の断面図である。
【図４】図１に示すＢ−Ｂ方向の断面図である。
【図５】確認有無表示部材の正面図であり（ａ）は未確認が表示された状態、（ｂ）は確認が表示された状態である。
【発明を実施するための形態】
【００１０】
図１は、実施形態の確認用ボード１と、確認用ボード１に対して挿脱可能な確認項目記載カード２と、を備える確認用カードボードセット３を示した図であり、確認用ボード１に対して確認項目記載カード２が挿入された状態を示す。
【００１１】
（確認項目記載カード２）
実施形態の確認項目記載カード２は、矩形の紙材である。ただし、確認項目記載カード２の材質は、紙に限らず、木製の板、プラスチック等であってもよい。確認項目記載カード２には、上から下に向って順に、横書きの確認項目２１が箇条書きされている。箇条書きされている確認項目２１のそれぞれは、１行に限らず、複数行にわたっている場合もある。
確認項目２１は、例えば、原子力発電所においてプラントが停止する異常事象時に、制御室において運転員が事象の把握・収束に必要な確認項目２１である。
以下、確認項目記載カード２に記載された確認項目２１の箇条書きが順番に並ぶ方向を箇条書き方向という。図１の紙面における上下方向が箇条書き方向である。また、箇条書き方向と直交し、図１の紙面に沿う方向を左右方向、確認用ボード１の図１の紙面で表示されている側を表側として、以下説明する。
【００１２】
（確認用ボード１）
確認用ボード１は、２枚の矩形の薄板部材が互いに平行に配置され、互いの間に隙間１１が設けられた薄型の箱体である。薄板部材は軽量のプラスチック等が好ましい。確認用ボード１は、箇条書き方向に延びる仮想線によって、図１における左側より、確認位置表示領域１Ａと、カード視認領域１Ｂと、確認有無表示領域１Ｃとの３つの領域に区切られている。
【００１３】
（カード視認領域１Ｂ）
カード視認領域１Ｂは、３つの領域の中央部に位置し、上部に確認項目記載カード２が挿脱可能な挿脱口１２が設けられ、下部は閉じられて底部１７が形成されている。カード視認領域１Ｂの表面１３は、カード視認領域１Ｂに確認項目記載カード２が挿入されたときに、確認項目記載カード２に記載された確認項目２１が視認可能なように透明である。ただし、透明に限らず、確認項目記載カード２に記載された確認項目２１が視認可能なように開口部を設ける形状であってもよい。
挿脱口１２より挿入する際、確認項目記載カード２は、下辺から挿入される。確認項目記載カード２が隙間１１に挿入され、確認項目記載カード２の下辺が隙間１１の底部１７に到達することで、確認項目記載カード２は確認用ボード１の所定位置に保持される。
【００１４】
(確認位置表示領域１Ａ）
図２は、確認位置表示領域１Ａの箇条書き方向と直交する断面図である。確認位置表示領域１Ａは、３つの領域のうちのカード視認領域１Ｂの図中左側に位置する。確認位置表示領域１Ａの表側には箇条書き方向に延びる溝部１４が形成され、その溝部１４に沿ってスライド可能なスライド式ボタン１５が配置されている。
【００１５】
スライド式ボタン１５は、溝部１４の内部に配置される溝内移動部１５ａと、溝部１４の外部に配置されるボタン部１５ｂと、溝内移動部１５ａとボタン部１５ｂとを連結するスライド連結部１５ｃと、を備える。
溝内移動部１５ａとボタン部１５ｂとの左右の幅は、溝部１４の左右の幅より広く、スライド連結部１５ｃの左右の幅は、溝部１４の左右の幅より狭い。したがって、スライド式ボタン１５は溝内移動部１５ａが溝部１４の内部に保持されたまま、溝部１４に沿って移動可能である。
【００１６】
また、溝部１４における、確認項目記載カード２がカード視認領域１Ｂの隙間１１内の所定位置に保持されたときの箇条書きの項目に対応する左側の位置には、ストッパ１６が設けられている。ストッパ１６は、溝部１４を形成する対向辺に取り付けられた一対の部材で、例えば摩擦係数の高い弾性部材等である。ストッパ１６が取り付けられた部分は、溝部１４の幅が狭くなっている。
スライド式ボタン１５が、箇条書き方向にスライドしてストッパ１６が取り付けられた個所にくると、スライド式ボタン１５はストッパ１６の弾性力又は摩擦力によって、その位置に保持可能となる。
【００１７】
(確認有無表示領域１Ｃ）
確認有無表示領域１Ｃは、３つの領域のうちのカード視認領域１Ｂの図中右側に位置する。図３は図１に示すＡ−Ａ方向の断面図である。図４は図１に示すＢ−Ｂ方向の箇条書き方向と直交する断面図である。
確認有無表示領域１Ｃも、表側には箇条書き方向に延びる溝３１が形成されている。その溝３１には２種類の部材が配置されている。その２種類の部材は、確認項目２１の確認の有無を選択表示可能な、確認有無表示部材３２と、確認項目２１の確認の有無を表示しない空部材３３とである。
【００１８】
図３は、溝３１に確認有無表示部材３２が取り付けられている状態の断面図である。図５は確認有無表示部材３２の正面図であり（ａ）は「未確認」が表示された状態、（ｂ）は「確認済」が表示された状態である。
【００１９】
（確認有無表示部材）
確認有無表示部材３２は図５に示すように表側から見たときに、略長方形で左右は略円弧形状である。そして図３に示すように、断面はＨを横にした形状で、溝３１の内部に配置される溝内配置部３２ａと、溝３１の外部に配置される溝外配置部３２ｂと、溝内配置部３２ａと溝外配置部３２ｂとを連結する連結部３２ｃと有する。
溝内配置部３２ａと溝外配置部３２ｂとの左右の幅は略同じで、溝３１の左右の幅より広く、連結部３２ｃの左右の幅は、溝３１の左右の幅より狭い。
したがって、確認有無表示部材３２は、溝内配置部３２ａが溝３１の内部に保持されたまま、溝３１に沿って移動可能である。
【００２０】
確認有無表示部材３２の溝外配置部３２ｂには、図５に示すように表側から裏側に窪み３４が形成され、その窪み３４の内部を左右にスライド可能に円形の移動部材３５が配置されている。
溝外配置部３２ｂの窪み３４の底部の左右の一方の側には、「確認済」という文字が記載され、左右の他方の側には「未確認」という文字が記載されている。そして、窪み３４の左右の中央には、ストッパ３６が配置されている。
ストッパ３６は、例えば弾性部材で、移動部材３５が左から右に移動する際、弾性部材を変形させて左から右にする。したがって、弾性部材を変形させる程度の力で左から右に移動させない限り、移動部材３５は左又は右の一方に保持される。
【００２１】
例えば、溝外配置部３２ｂの左に「確認済」、右に「未確認」という文字が記載されている場合、移動部材３５が左にあると、「確認済」の文字が隠れて「未確認」という文字が視認される。この状態で移動部材３５に外力が加わらない限り、移動部材３５はストッパ３６によって左側に保持されている。
その状態から、例えば作業者が移動部材３５を左から右に、ストッパ３６を超えて移動させると、「未確認」の文字が隠れて「確認済」という文字が視認されるようになる。この状態で移動部材３５に外力が加わらない限り、移動部材３５はストッパ３６によって右側に保持されている。
【００２２】
（空部材３３）
空部材３３は図１に示すように表側から見たときに、略長方形で左右の輪郭は略円弧形状である。そして図４に示すように、断面はＨを横にした形状で、溝３１の内部に配置される溝内配置部３３ａと、溝３１の外部に配置される溝外配置部３３ｂと、溝内配置部３３ａと溝外配置部３３ｂとを連結する連結部３３ｃと有する。
溝内配置部３３ａと溝外配置部３３ｂとの左右の幅は略同じで、溝３１の左右の幅より広く、連結部３３ｃの左右の幅は、溝３１の左右の幅より狭い。
したがって、空部材３３も、確認有無表示部材３２と同様に、溝内配置部３３ａが溝３１の内部に保持された状態で、溝３１に沿って移動可能である。
【００２３】
溝３１の下部には、図１で示すような開閉可能な蓋部３７が設けられている。蓋部３７を開いて、溝３１の下端から確認有無表示部材３２と空部材３３とを取り出し、確認有無表示部材３２と空部材３３との順序を適宜入れ替えることにより、確認項目記載カード２に記載されたそれぞれの確認項目２１の右側に、１つの確認有無表示部材３２を配置する。
１つの確認項目２１が複数行を占めている場合は、１つの確認有無表示部材３２以外の行の右側には、空部材３３を配置する。これにより、１つの確認有無表示部材３２が１つの確認項目２１に対応して配置されるようにする。
【００２４】
（使用方法）
次に、本実施形態の確認用ボード１及び確認用カードボードセット３の使用方法について説明する。
まず、確認項目記載カード２を確認用ボード１の挿脱口１２より隙間１１に挿入する。そして、確認項目記載カード２の下端が隙間１１の底部１７に当接することにより、確認項目記載カード２が確認用ボード１の固定位置に保持する。
【００２５】
確認有無表示部材３２と空部材３３とが適切な順序で配置されていない場合は、蓋部３７を開けて確認有無表示部材３２と空部材３３とを取り出す。
そして、確認項目記載カード２のそれぞれの確認項目２１の１行めの右側に、確認有無表示部材３２が配置され、確認項目２１が複数行にわたるときは、２行目以降は空部材３３が配置されるような順序で、溝３１から確認有無表示部材３２と空部材３３とを挿入する。
蓋部３７を閉じて確認有無表示部材３２と空部材３３とを固定する。
このように確認有無表示部材３２と空部材３３とが取り外し可能で、順序を入れ替えることができるので、１つの確認項目２１が複数行を占めている場合においても、１つの確認有無表示部材３２を１つの確認項目２１に対応して配置することができる。また、確認項目２１の数が異なる場合においても、確認有無表示部材３２の数を増減することにより１つの確認有無表示部材３２を１つの確認項目２１に対応して配置することができる。
次いで、確認有無表示部材３２において全て未確認が表示されているように移動部材３５を移動させる。このとき、ストッパ３６が設けられているので、移動部材３５が所定位置に保持される。
この状態で、スライド式ボタン１５を溝部１４に沿ってスライドさせて、例えば確認項目の１番目に移動させる。この場合もストッパ１６が設けられているのでスライド式ボタン１５が所定位置に保持される。
【００２６】
１番目の確認項目の確認が終わったら、移動部材３５を右に移動させ、「確認済」を表示させる。
そして、スライド式ボタン１５を溝部１４に沿ってスライドさせて２番めの確認項目の位置に移動させる。
２番目の確認項目の確認が終わったら、移動部材３５を右に移動させ、「確認済」を表示させ、スライド式ボタン１５を溝部１４に沿ってスライドさせて３番めの確認項目の位置に移動させるといった作業を繰り返す。
【００２７】
以上、本実施形態によると、従来のペンで記入する確認方法から、確認有無表示部材３２の移動部材３５を指でスライドさせて操作する方法へ変更した。これにより、ペンが不要となり、使い勝手が大きく向上し、ペンを持つ必要がなくなったことにより、確認作業の作業性を改善することができる。
【００２８】
また、確認を行う確認項目２１の位置にスライドするスライド式ボタン１５を設けたことにより、確認している確認項目２１の明確化が可能となった。
【００２９】
さらに、確認項目記載カード２に直接、ペンで記入する方式ではないため、確認項目記載カード２は複数回使用可能である。
【００３０】
また、電子部材ではないため、電池や電源を用いることなく使用可能であるので、電力供給が困難な場所でも使用可能で、電力を消耗することもない。
【００３１】
（変形例）
実施形態では、上から下に向って順に横書きの確認項目２１が箇条書きされている確認項目記載カード２用としての確認用ボード１において、カード視認領域１Ｂの左側に確認位置表示領域１Ａ、右側に確認有無表示領域１Ｃを設けた。しかし、これに限らず、カード視認領域１Ｂの右又は左側の一方の確認位置表示領域１Ａと確認有無表示領域１Ｃとを設けてもよい。
【００３２】
また、左右方向に順に縦書きの確認項目２１が箇条書きされている確認項目記載カード２用としての確認用ボード１において、カード視認領域１Ｂの下側に確認位置表示領域１Ａと確認有無表示領域１Ｃとを設けてもよい。
【００３３】
さらに、実施形態では、確認有無表示領域１Ｃに確認有無表示部材３２と空部材３３とを配したが、これに限らず、空部材３３を使用せず、確認位置表示領域１Ａと同様に、溝３１にストッパを設けて確認有無表示部材３２を所定位置に保持可能としてもよい。
【符号の説明】
【００３４】
１    確認用ボード
１Ａ    確認位置表示領域
１Ｂ    カード視認領域
１Ｃ    確認有無表示領域
２    確認項目記載カード
３    確認用カードボードセット
１１    隙間
１２    挿脱口
１３    表面
１４    溝部
１５    スライド式ボタン
１５ａ    溝内移動部
１５ｂ    ボタン部
１５ｃ    スライド連結部
１６    ストッパ
１７    底部
２１    確認項目
３１    溝
３２    確認有無表示部材
３２ａ    溝内配置部
３２ｂ    溝外配置部
３２ｃ    連結部
３３    空部材
３３ａ    溝内配置部
３３ｂ    溝外配置部
３３ｃ    連結部
３４    窪み
３５    移動部材
３６    ストッパ
３７    蓋部
【図１】
2019200361.tif 000003
【図２】
2019200361.tif 000004
【図３】
2019200361.tif 000005
【図４】
2019200361.tif 000006
【図５】
2019200361.tif 000007